(57)【要約】【課題】１本の吊下げ具でサイズ、色柄等の異なる商品、或いは種類の異なる商品を吊り下げて陳列しても、商品の判別が容易に行なえるようにすることを目的とする。【解決手段】商品陳列装置に着脱自在に取り付ける取付部材（１）と、取付部材（１）の前方に突設される支持杆（２）と、支持杆（２）の下面側に長手方向に所要の間隔で並設される複数の吊り杆（３）を備え、支持杆（２）を、前方に向けて斜め下方に傾斜させるとともに、吊り杆（３）を、支持杆（２）の長手方向に対して交互に左右方向に所望の角度を持って屈曲させた。ピン（５）を、支持杆（２）の上面側に上方に向けて突設するとともに、このピン（５）に、商品のプライスカードを支持するカードホルダー（４）を、支持杆（２）の長手方向に対して左右方向に回動自在に取り付けた。また、吊り杆（３）に、吊り下げられた商品の滑り落ちを防止する手段を設けた。【選択図】      図１
2006116074.tif 000002
【特許請求の範囲】
【請求項１】
商品陳列装置に着脱自在に装着される陳列用吊下げ具であって、
前記商品陳列装置に着脱自在に取り付ける取付部材と、該取付部材の前方に突設される支持杆と、該支持杆の下面側に長手方向に所要の間隔で並設される複数の吊り杆とを備え、
前記支持杆を、前方に向けて斜め下方に傾斜させるとともに、前記複数の吊り杆を、前記支持杆の長手方向に対して交互に左右方向に所要の角度を持って屈曲させたことを特徴とする陳列用吊下げ具。
【請求項２】
複数のピンを、前記支持杆の上面側に前記吊り杆と対応するように所要の間隔で上方に向けて突設するとともに、このピンに、商品のプライスカードを支持するカードホルダーを、前記支持杆の長手方向に対して左右方向に回動自在に取り付けたことを特徴とする請求項１に記載の陳列用吊下げ具。
【請求項３】
前記吊り杆に、吊り下げられた商品の滑り落ちを防止する手段を設けたことを特徴とする請求項１又は請求項２に記載の陳列用吊下げ具。
【請求項４】
前記吊り杆が、外周面にねじ溝を設けたねじ棒材で構成されていることを特徴とする請求項３に記載の陳列用吊下げ具。
【請求項５】
前記吊り杆を、前記支持杆の長手方向に対して左右方向に回動自在に設けたことを特徴とする請求項１乃至請求項４のいずれかに記載の陳列用吊下げ具。
【請求項６】
前記吊り杆を、前記支持杆の長手方向に対して所要の角度で固定する手段を設けたことを特徴とする請求項５に記載の陳列用吊下げ具。
【請求項７】
商品陳列装置に着脱自在に装着される陳列用吊下げ具であって、
前記商品陳列装置に着脱自在に取り付ける取付部材と、該取付部材の前方に突設される吊り杆とを備え、
前記吊り杆を、前方に向けて斜め下方に傾斜させているとともに、その長手方向に対して左右方向にジグザグ状に折曲させて、左方向に向かって折れ曲る吊下部と、右方向に向かって折れ曲る吊下部とを交互に連続して配置させたことを特徴とする陳列用吊下げ具。
【請求項８】
複数のピンを、前記吊り杆の上面側の所要の位置に上方に向けて突設するとともに、このピンに、商品のプライスカードを支持するカードホルダーを、前記吊り杆の長手方向に対して左右方向に回動自在に取り付けたことを特徴とする請求項７に記載の陳列用吊下げ具。
【請求項９】
前記吊り杆に、吊り下げられた商品の滑り落ちを防止する手段を設けたことを特徴とする請求項７又は請求項８に記載の陳列用吊下げ具。
【請求項１０】
前記吊り杆が、外周面にねじ溝を設けたねじ棒材で構成されていることを特徴とする請求項９に記載の陳列用吊下げ具。
【発明の詳細な説明】
【技術分野】
【０００１】
本発明は、例えばデパート、スーパーマーケット、ショッピングセンター、コンビニエンスストア、専門店等の如き大量の商品を扱う店舗等において商品やカタログ、パンフレット等を吊り下げて陳列するために使用される陳列用吊下げ具に関する。
【背景技術】
【０００２】
従来、例えばデパート、スーパーマーケット、ショッピングセンター、コンビニエンスストア、専門店等の如き大量の商品を扱う店舗等において、パッケージの中に商品を包装した状態で陳列する方法としては、商品陳列装置の吊下げ具に係合する係合手段を前記パッケージの上端に設け、この係合手段を前記吊下げ具に係合させることにより、１本の吊下げ具に多数の商品を吊り下げて陳列する方法がある。
【発明の開示】
【発明が解決しようとする課題】
【０００３】
この場合、従来の吊下げ具は水平で直線状であるため、１本の吊下げ具にサイズ、色柄等や種類の異なる商品を多数吊り下げて陳列しても、１番手前の陳列商品しか目につかず、消費者がサイズ、色柄等や種類の異なる商品を探す場合、商品の入ったパッケージを１つずつ、ずらして商品のサイズ、色柄等や種類を確認する必要があり、手間であるという問題があった。かと言って、商品毎に吊下げ具に商品を吊り下げて、それを平面的に並べて陳列すると、商品の陳列に広いスペースが必要となり、陳列できる商品の数が限定されるという問題がある。しかも、多数の吊下げ具を用意する必要があるため、陳列に要するコストが余分にかかるとともに、その保管・管理が大変であるという問題がある。
【０００４】
本考案はこのような課題を解決するもので、１本の吊下げ具でサイズ、色柄等の異なる商品、或いは種類の異なる商品を吊り下げて陳列しても、商品の判別が容易に行なえるようにすることを目的とするものである。
【課題を解決するための手段】
【０００５】
前記目的を達成するため、本発明の陳列用吊下げ具は、商品陳列装置に着脱自在に装着される陳列用吊下げ具であって、前記商品陳列装置に着脱自在に取り付ける取付部材と、該取付部材の前方に突設される支持杆と、該支持杆の下面側に長手方向に所要の間隔で並設される複数の吊り杆とを備え、前記支持杆を、前方に向けて斜め下方に傾斜させるとともに、前記複数の吊り杆を、前記支持杆の長手方向に対して交互に左右方向に所要の角度を持って屈曲させたことを特徴としている。
【０００６】
前記陳列用吊下げ具においては、前記支持杆が所要の角度で下斜状に傾斜して上下方向に高低差があり、かつ、前記支持杆の下面側に長手方向に並設された吊り杆が、並び順において交互に左方向と右方向とに所要の角度で屈曲させて、前後の前記吊り杆の間に水平方向に視差があるから、各吊り杆にサイズ、色柄等の異なる商品或いは種類の異なる商品を吊り下げて陳列したとき、各吊り杆に吊り下げられた陳列商品が、前記支持杆の上下方向の高低差と前後の前記吊り杆の間の水平方向の視差とによって一目で見分けることができる。
【０００７】
また、本発明の陳列用吊下げ具は、複数のピンを、前記支持杆の上面側に前記吊り杆と対応するように所要の間隔で上方に向けて突設するとともに、このピンに、商品のプライスカードを支持するカードホルダーを、前記支持杆の長手方向に対して左右方向に回動自在に取り付けたことを特徴としている。
【０００８】
前記陳列用吊下げ具においては、各吊り杆にサイズ、色柄等の異なる商品或いは種類の異なる商品を吊り下げて陳列したとき、前記カードホルダーに支持されるプライスカードによって商品の種類、サイズ、価格等を一目で認識することができる。
【０００９】
また、本発明の陳列用吊下げ具は、前記吊り杆に、吊り下げられた商品の滑り落ちを防止する手段を設けたことを特徴としている。そのため、前記吊り杆を、外周面にねじ溝を設けたねじ棒材で構成するのが好ましい。
【００１０】
前記陳列用吊下げ具においては、前記吊り杆が前方に向けて斜め下方に傾斜していても、パッケージの係合手段が引っ掛かって前記吊り杆の傾斜方向に商品が滑り落ちる虞はない。
【００１１】
また、本発明の陳列用吊下げ具は、前記吊り杆を、前記支持杆の長手方向に対して左右方向に回動自在に設けたことを特徴としている。そのため、前記吊り杆を、前記支持杆の長手方向に対して所望の角度で固定する手段を設けるのが好ましい。
【００１２】
前記陳列用吊下げ具においては、陳列商品の形状、大きさに応じて前記吊り杆の屈曲角度を調整できる。
【００１３】
また、本発明の陳列用吊下げ具は、商品陳列装置に着脱自在に装着される陳列用吊下げ具であって、前記商品陳列装置に着脱自在に取り付ける取付部材と、該取付部材の前方に突設される吊り杆とを備え、前記吊り杆を、前方に向けて斜め下方に傾斜させているとともに、その長手方向に対して左右方向にジグザグ状に折曲させて、左方向に向かって折れ曲る吊下部と、右方向に向かって折れ曲る吊下部とを交互に連続して配置させたことを特徴としている。
【００１４】
前記陳列用吊下げ具においては、前記吊り杆が所要の角度で下斜状に傾斜して上下方向に高低差があり、かつ、前記吊り杆が、その長手方向に対して左右方向にジグザグに折曲せしめられて、前後の前記吊下部との間に水平方向に視差があるから、前記吊り杆の各吊下部にサイズ、色柄等の異なる商品或いは種類の異なる商品を吊り下げて陳列したとき、前記吊り杆の各吊下部に吊り下げられた陳列商品が、前記支持杆の上下方向の高低差と前後の前記吊下部の間の水平方向の視差とによって一目で見分けることができる。
【００１５】
更に、本発明の陳列用吊下げ具は、複数のピンを、前記吊り杆の上面側の所要の位置に上方に向けて突設するとともに、このピンに、商品のプライスカードを支持するカードホルダーを、前記吊り杆の長手方向に対して左右方向に回動自在に取り付けたことを特徴としている。
【００１６】
前記陳列用吊下げ具においては、前記吊り杆の各吊下杆にサイズ、色柄等の異なる商品或いは種類の異なる商品を吊り下げて陳列したとき、カードホルダーに支持されるプライスカードによって商品の種類、サイズ、価格等を一目で認識することができる。
【発明の効果】
【００１７】
本発明の陳列用吊下げ具によれば、サイズ、色柄等の異なる商品或いは種類の異なる商品を吊り下げて陳列しても、各商品の判別を容易に行なうことができるため、消費者にとって商品が探し易くなり、買い物が迅速にできるし、販売員に面倒をかけさせないので便利である。従って、限られた陳列スペースの中で多種多様の商品を効率良く陳列することができ、しかも、それらの商品を容易に判別することができるので、多彩な品揃えを消費者にアピールできるとともに、消費者のニーズの多様化に対応した販売が可能となり、販売促進に有効である。これにより、商品毎に多数の吊下げ具を用意する必要が不要となり、陳列に要するコストの低減化が図れるとともに、吊下げ具の数が減少して保管・管理の簡素化が図れる。
【発明を実施するための最良の形態】
【００１８】
以下、本発明の実施の形態を図面に基づいて説明する。
【００１９】
図１乃至図３は、本発明の第１の実施形態の陳列用吊下げ具Ａを示す。尚、この陳列用吊下げ具Ａは、上部中央に通し孔を設けたパッケージに包装される商品、或いは上端にフックを設けたパッケージに包装される商品に使用されるタイプである。
【００２０】
陳列用吊下げ具Ａは、商品陳列装置における背面側に上下多段に横架された角筒パイプ等からなる角形の横バー部材Ｃに対し着脱自在に取り付けられる取付部材１と、取付部材１の上端面に前方に向けて突出状に固着される支持杆２と、支持杆２の下面側に長手方向に所要の間隔で並設される商品を吊り下げるための複数本（本実施形態では６本）の吊り杆３，３…と、支持杆２の上面側に吊り杆３，３…と対応するように長手方向に所要の間隔で配設される複数個（吊り杆３と同数の６個）のカードホルダー４，４…とを備えて構成されている。尚、図１乃至図３では、吊り杆３及びカードホルダー４を、支持杆２の長手方向の６ヶ所に所要の間隔で配設している場合を示しているが、商品の大きさや形状、支持杆２の長さ寸法等の条件に従って吊り杆３及びカードホルダー４の寸法や配設数、配設間隔を変更することは言うまでもない。
【００２１】
取付部材１は、金属製の平板材を用いて、商品陳列装置の横バー部材Ｃの縦寸法より若干大きい幅員を持たせたコ字状に折曲され、かつ、その上辺１ａの端縁から横バー部材Ｃの奥行寸法より若干大きい幅員を持たせて係止辺１ｂを垂設して形成されており、斜めにした状態で前記係止辺１ｂを横バー部材Ｃに上方から引っ掛けた後、該横バー部材Ｃに沿うように回転させることで、横バー部材Ｃに係止されるようになっている。
【００２２】
支持杆２は、長尺状に形成された金属製の丸棒材或いは角棒材（図面では、丸棒材の場合を示す）からなり、基端部（末端部）を取付部材１の上端面に溶接等の手段により一体に固着させるとともに、その基端部から先端部側を下方に屈曲せしめて水平に対し所要の角度（例えば、約２０°程度）で前方に向けて斜め下方に傾斜されている。また、支持杆２は、上面側に所要の間隔で複数本（カードホルダー４と同数の６本）のカードホルダー差込用の金属製の差込ピン５，５…を溶接等の手段により一体に突設させている。
【００２３】
吊り杆３は、外周面全長に亘ってねじ溝を設けた金属製のねじ棒材（図面では、ねじ溝を省略）を用いて、略Ｌ字状に折曲形成されており、その横棒側を支持杆２と平行にした状態で縦棒側の上端を支持杆２の下面に溶接等の手段により一体に固着して取り付けられている。また、吊り杆３は、支持杆２の下面側に長手方向に並設されており、支持杆２の長手方向に対して左右方向にその並び順において左方向と右方向とに交互に所要の角度で屈曲せしめて平面視において千鳥状に配設されている。
【００２４】
カードホルダー４は、商品の種類、サイズ、価格等の情報が文字やバーコード等で記されたプライスカード（図示せず）を差し入れ・取り出し可能に支持するためのもので、プラスチック材を用いて一体成形されており、下端部に一体形成された差込筒４ａを支持杆２の上面側に一体に突設された差込ピン５に差し込むことで、支持杆２に着脱可能にしかも差込ピン５を軸として支持杆２の長手方向に対して左右方向に所定の範囲で回動可能に設けられている。尚、カードホルダー４は、容易に回動しない程度に差込筒４ａが差込ピン５にきつく差し込まれている。例えば、カードホルダー４の差込筒４ａの内径を、差込ピン５の外径より僅かに小さく形成するとともに、差込筒４ａにスリットを形成することにより、カードホルダー４の差込筒４ａを差込ピン５に差し込んだ場合、差込筒４ａがスリットにより押し広げられながら差込ピン５に差し込まれ、両者は容易に回動しない程度に嵌め合わされる。
【００２５】
次に、前記構成からなる陳列用吊下げ具Ａを用いて商品を陳列する場合について説明する。陳列用吊下げ具Ａは、上述した如く取付部材１を商品陳列装置の横バー部材Ｃに係止することで、商品陳列装置の横バー部材Ｃに取り付けられる。そして、この取付状態にて、支持杆２の下面側にその長手方向に並設された吊り杆３，３…に、商品を包装したパッケージの係合手段（通し孔或いはフック）を係合させることで、吊り杆３，３…に商品が吊り下げられて陳列される。吊り杆３に吊り下げられた陳列商品は、吊り杆３が前方に向けて斜め下方に傾斜していても、吊り杆３に外周面全長に亘ってねじ溝を設けたねじ棒材が用いられているので、ねじ棒材のねじ溝にパッケージの係合手段が引っ掛かって吊り杆３の傾斜方向に滑り落ちる虞がない。これにより、常に商品を見た目にきれいに並べて見栄えよく陳列できる。次に、支持杆２の上面側に所要の間隔で一体に突設された差込ピン５，５…にカードホルダー４，４…を差し込むことで、支持杆２にカードホルダー４，４…が所定の間隔で配設される。この場合、カードホルダー４には対応する吊り杆３に吊り下げられる陳列商品に合せて商品の種類、サイズ、価格等の情報を文字やバーコード等で記したプライスカードを装入するとともに、カードホルダー４，４…の向きも図３中に仮想線（一点鎖線）で示す如く吊り杆３，３…の屈曲方向に対応するように支持杆２の長手方向に対して左方向と右方向とに交互に回動させて平面視において千鳥状に配置することが必要である。
【００２６】
このように陳列用吊下げ具Ａを用いて商品を陳列すれば、陳列用吊下げ具Ａの支持杆２が所要の角度で下斜状に傾斜して上下方向に高低差があり、かつ、支持杆２の下面側にその長手方向に並設された吊り杆３，３…が、支持杆２の長手方向に対して左右方向にその並び順において左方向と右方向とに交互に所要の角度で屈曲せしめられて、前後の吊り杆３，３…の間に水平方向に視差があるから、陳列用吊下げ具Ａの吊り杆３，３…にサイズ、色柄等の異なる商品或いは種類の異なる商品を吊り下げて陳列したとき、吊り杆３，３…に吊り下げられた陳列商品が、支持杆２の上下方向の高低差と前後の吊り杆３，３…の間の水平方向の視差とによって一目で見分けることができ、しかも、支持杆２の上面側に配設されたカードホルダー４，４…に支持されるプライスカードによって商品の種類、サイズ、価格等を一目で認識することができ、消費者にとって商品が探し易くなり、買い物が迅速にできるし、販売員に面倒をかけさせないので便利である。即ち、陳列用吊下げ具Ａは、限られた陳列スペースの中で多種多様の商品を効率良く陳列することができ、しかも、それらの商品を容易に判別することができるので、多彩な品揃えを消費者にアピールできるとともに、消費者のニーズの多様化に対応した販売が可能となり、販売促進に有効である。これにより、商品毎に多数の吊下げ具を用意する必要が不要となり、陳列に要するコストの低減化が図れるとともに、吊下げ具の数が減少して保管・管理の簡素化が図れる。
【００２７】
尚、上述した陳列用吊下げ具Ａでは、取付部材１を商品陳列装置の横バー部材Ｃに嵌めて係止しているだけであるが、図４に示すように、取付部材１を横バー部材Ｃに嵌めて係止した後、取付部材１を横バー部材Ｃに固定ボルト６等の固定手段により固定するように構成してもよい。これにより、陳列用吊下げ具Ａが商品陳列装置の横バー部材Ｃにより強固に取り付けられるので、ある程度重い商品や大きい商品でも陳列できる。尚、図４では、取付部材１の下辺に固定ボルト６を螺合させて当該取付部材１を横バー部材Ｃに固定させているが、取付部材１の下辺以外、即ち、取付部材１の前辺又は上辺１ａ或いは係止辺１ｂに固定ボルト６を螺合させて当該取付部材１を横バー部材Ｃに固定させても構わない。要するに、固定ボルト６は、陳列用吊下げ具Ａの陳列目的に合せて取付部材１の下辺、前辺、上辺１ａ及び係止辺１ｂのいずれかを選択して螺合するのが好ましい。
【００２８】
また、陳列用吊下げ具Ａでは、取付部材１は、商品陳列装置における背面側や側面側に上下多段に横架された角筒パイプ等からなる角形の横バー部材Ｃに係止するように構成されているが、商品陳列装置における背面側や側面側に配設された複数の横線材と複数の縦線材とを格子状に組んでその交点をスポット溶接等により接合してなるネットパネルに係止されるように構成してもよい。
【００２９】
また、陳列用吊下げ具Ａでは、吊り杆３に吊り下げられた陳列商品が支持杆２の傾斜方向に滑り落ちるのを防止するため、外周面全長に亘ってねじ溝を設けたねじ棒材を吊り杆３として用いているが、ねじ棒材に換わり外周面が平滑な金属製の丸棒材或いは角棒材を用い、この丸棒材或いは角棒材の上面側に凹溝等の滑り止め手段を形成し、この滑り止め手段にパッケージの係合手段を引っ掛けることで、陳列商品が該吊り杆３の傾斜方向に滑り落ちるのを防止して常に商品を見た目にきれいに並べて見栄えよく陳列するように構成してもよい。尚、この場合、滑り止め手段は、商品を包装するパッケージに応じて種類、形成数量を設定すればよい。但し、実施形態の陳列用吊り下げ具Ａのように吊り杆３にねじ棒材を用いた場合、ねじ溝が滑り止め手段となっているので凹溝等の滑り止め手段をわざわざ設ける手間を省けて安価に製造できるとともに、吊り杆３の径を細くできて通し孔を有するパッケージには差し込み・抜き取りが容易で便利である。しかし、ねじ棒材はねじ溝の谷部では径が細くなって丸棒材或いは角棒材に比べて強度が劣るので、パッケージの係合手段を係合する部位だけにねじ溝を設け、それ以外の部位にはねじ溝を設けないのが好ましい。例えば、吊り杆３の縦棒側と横棒側との折曲部や横棒側の先端側の折曲部にねじ溝を設けないのが好ましい。
【００３０】
また、陳列用吊下げ具Ａでは、吊り杆３を、支持杆２の下面に溶接等の手段により一体に固着して取り付けているが、図５に示すように、吊り杆３を、その上端３ａを支持杆２に形成されたねじ孔２ａに螺合して支持杆２の長手方向に対して左右方向に回動可能に取り付け、吊り杆３に螺合するロックナット７で支持杆２に固定するように構成してもよい。これにより、吊り杆３は、ロックナット７を緩めれば、支持杆２の長手方向に対して左右方向に回動が可能となる。このように、吊り杆３を支持杆２の長手方向に対して左右方向に回動できることで、陳列商品の形状、大きさに応じて吊り杆３の屈曲角度を調整して陳列商品を見易くできる。尚、上述したように、吊り杆３を支持杆２の長手方向に対して左右方向に回動可能にする場合、吊り杆３と差込ピン５とを一体的に形成するようにしても構わない。この場合、支持杆２に差込ピン５部分を貫挿し得る上下方向に貫通するねじ孔を形成させ、かつ、吊り杆３部分と差込ピン５部分との境界部分に支持杆２の前記ねじ孔に螺合し得るねじ部を形成させるとともに、このねじ部にロックナット７を螺合させており、支持杆２のねじ孔に下面側から差込ピン５部分を貫挿させて上面側に所定の長さまで突出させたところで、吊り杆３部分と差込ピン５部分との境界部分に形成したねじ部を支持杆２のねじ孔に螺合して支持杆２の長手方向に対して左右方向に回動可能に取り付けるとともに、前記ねじ部に螺合してあるロックナット７にて支持杆２に固定させるようになっている。
【００３１】
図６乃至図８は、本発明の第２の実施形態の陳列用吊下げ具Ｂを示す。尚、この陳列用吊下げ具Ｂは、上端にフックを設けたパッケージに包装される商品に使用されるタイプである。
【００３２】
陳列用吊下げ具Ｂは、商品陳列装置における背面側に上下多段に横架された角筒パイプ等からなる角形の横バー部材Ｃに対し着脱自在に取り付けられる取付部材１１と、取付部材１１の上端面に前方に向けて突出状に固着される吊り杆１２と、吊り杆１２の上面側に配設される複数個（本実施形態では５個）のカードホルダー１３，１３…とを備えて構成されている。
【００３３】
取付部材１１は、金属製の平板材を用いて、商品陳列装置の横バー部材Ｃの縦寸法より若干大きい幅員を持たせたコ字状に折曲され、かつ、その上辺１１ａの端縁から横バー部材Ｃの奥行寸法より若干大きい幅員を持たせて係止辺１１ｂを垂設して形成されており、斜めにした状態で前記係止辺１１ｂを横バー部材Ｃに上方から引っ掛けた後、該横バー部材Ｃに沿うように回転させることで、横バー部材Ｃに係止されるようになっている。
【００３４】
吊り杆１２は、外周面全長に亘ってねじ溝を有する金属製のねじ棒材（図面ではねじ溝を省略）からなり、基端部（末端部）が取付部材１１の上端面に溶接等の手段により一体に固着されている。また、吊り杆１２は、その基端部から先端部側を所要の角度（例えば、約２０°程度）で前方に向かって斜め下方に傾斜されている。また、吊り杆１２は、その傾斜部分がその長手方向に対して左右方向にアコーディオン状にジグザグに折曲されている。即ち、吊り杆１２は、左方向に向かって折れ曲る吊下部１２ａ，１２ａ…と、右方向に向かって折れ曲る吊下部１２ｂ，１２ｂ…とを交差角度を挟んで交互に連続して配置して備えた形状となっている。更に、吊り杆１２は、複数本（カードホルダー１３と同数の５本）のカードホルダー差込用の差込ピン１４を、上面側の吊下部１２ａと吊下部１２ｂとの境界部に溶接等の手段により一体に突設させている。尚、図６乃至図８では、吊り杆１２に５箇所の吊下部１２ａ，１２ｂを設け、それに伴って５本の差込ピン１４を突設している場合を示しているが、商品の大きさや形状、吊り杆１２の長さ寸法等の条件に従って吊り杆１２に吊下部１２ａ，１２ｂを設ける数を変更することは言うまでもない。
【００３５】
カードホルダー１３は、商品の種類、サイズ、価格等の情報が文字やバーコード等で記されたプライスカード（図示せず）を差し入れ・取り出し可能に支持するためのもので、プラスチック材を用いて一体成形されており、下端部に一体形成された差込筒１３ａを吊り杆１２の上面側に一体に突設された差込ピン１４に差し込むことで、吊り杆１２に着脱可能にしかも差込ピン１４を軸として吊り杆１２の長手方向に対して左右方向に所定の範囲で回動可能に設けられている。尚、カードホルダー１３は、容易に回動しない程度に差込筒１３ａが差込ピン１４にきつく差し込まれている。例えば、カードホルダー１３の差込筒１３ａの内径を、差込ピン１４の外径より僅かに小さく形成するとともに、差込筒１３ａにスリットを形成することにより、カードホルダー１３の差込筒１３ａを差込ピン１４に差し込んだ場合、差込筒１３ａがスリットにより押し広げられながら差込ピン１４に差し込まれ、両者は容易に回動しない程度に嵌め合わされる。
【００３６】
次に、前記構成からなる陳列用吊下げ具Ｂを用いて商品を陳列する場合について説明する。陳列用吊下げ具Ｂは、上述した如く取付部材１１を商品陳列装置の横バー部材Ｃに係止することで、商品陳列装置の横バー部材Ｃに取り付けられる。そして、この取付状態で、吊り杆１２の吊下部１２ａ，１２ａ…と吊下部１２ｂ，１２ｂ…とに、商品を包装したパッケージの係合手段（フック）を係合させることで、吊り杆１２に商品が吊り下げられて陳列される。吊り杆１２に吊り下げられた陳列商品は、吊り杆１２が前方に向けて斜め下方に傾斜していても、吊り杆１２の素材として外周面全長に亘ってねじ溝を設けたねじ棒材が用いられているので、ねじ棒材のねじ溝にパッケージの係合手段が引っ掛かり、吊り杆１２の傾斜方向に滑り落ちる虞はない。次に、吊り杆１２の上面側に一体に突設された差込ピン１４，１４…にカードホルダー１３，１３…を差し込むことで、吊り杆１２にカードホルダー１３，１４…が配設される。この場合、カードホルダー１３には対応する吊り杆１２の吊下部１２ａ，１２ｂに吊り下げられる陳列商品に合せて商品の種類、サイズ、価格等の情報を文字やバーコード等で記したプライスカードを装入するとともに、カードホルダー１３，１３…の向きも図８中に仮想線（一点鎖線）で示す如く吊り杆１２の吊下部１２ａ，１２ｂの折曲方向に対応するように交互に左方向と右方向とに回動させることが必要である。
【００３７】
このように陳列用吊下げ具Ｂを用いて商品を陳列すれば、吊り杆１２が所要の角度で下斜状に傾斜して上下方向に高低差があり、かつ、吊り杆１２が、吊り杆１２の長手方向に対して左右方向にアコーディオン状にジグザグに折曲せしめられて、前後の吊下部１２ａと吊下部１２ｂとの間に水平方向に視差があるから、吊り杆１２の吊下部１２ａ，１２ａ…と吊下部１２ｂ，１２ｂ…とにサイズ、色柄等の異なる商品或いは種類の異なる商品を吊り下げて陳列したとき、吊り杆１２の吊下部１２ａ，１２ａ…と吊下部１２ｂ，１２ｂ…とに吊り下げられた陳列商品が、支持杆１２の上下方向の高低差と前後の吊下部１２ａと吊下部１２ｂとの間の水平方向の視差とによって一目で見分けることができ、しかも、吊り杆１２の上面側に配設されたカードホルダー１３．１３…に支持されるプライスカードによって商品の種類、サイズ、価格等を一目で認識することができ、陳列用吊下げ具Ａと同様な作用効果が得られる。
【００３８】
尚、上述した陳列用吊下げ具Ｂでは、取付部材１１を商品陳列装置の横バー部材Ｃに嵌めて係止しているだけであるが、取付部材１を横バー部材Ｃに嵌めた後、取付部材１を横バー部材Ｃに固定ボルト等の固定手段により固定するように構成してもよい。これにより、陳列用吊下げ具Ｂが商品陳列装置の横バー部材Ｃにより強固に取り付けられるので、ある程度重い商品や大きい商品でも陳列できる。
【００３９】
また、陳列用吊下げ具Ｂでは、取付部材１１は、商品陳列装置における背面側や側面側に上下多段に横架された角筒パイプ等からなる角形の横バー部材Ｃに係止するように構成されているが、商品陳列装置における背面側や側面側に配設された複数の横線材と複数の縦線材とを格子状に組んでその交点をスポット溶接等により接合してなるネットパネルに係止されるように構成してもよい。
【００４０】
また、陳列用吊下げ具Ｂでは、吊り杆１２に吊り下げられた陳列商品が該吊り杆の傾斜方向に滑り落ちるのを防止するため、外周面全長に亘ってねじ溝を設けたねじ棒材を吊り杆１２の素材として用いているが、ねじ棒材に換わり外周面が平滑な金属製の丸棒材或いは角棒材を用い、この丸棒材或いは角棒材の上面側に凹溝等の滑り止め手段を形成し、この滑り止め手段にパッケージの係合手段を引っ掛けることで、陳列商品が該吊り杆１２の傾斜方向に滑り落ちるのを防止して常に商品を見た目にきれいに並べて見栄えよく陳列するように構成してもよい。尚、この場合、滑り止め手段は、商品を包装するパッケージに応じて種類、形成数量を設定するようにすればよい。但し、実施形態の陳列用吊り下げ具Ｂのように吊り杆１２にねじ棒材を用いた場合、ねじ溝が滑り止め手段となっているので凹溝等の滑り止め手段をわざわざ設ける手間を省けて安価に製造できる。しかし、ねじ棒材はねじ溝の谷部では径が細くなって丸棒材或いは角棒材に比べて強度が劣るので、パッケージの係合手段を係合する部位だけにねじ溝を設け、それ以外の部位にはねじ溝を設けないのが好ましい。例えば、吊り杆１２の折曲部にねじ溝を設けないのが好ましい。
【００４１】
また、陳列用吊下げ具Ｂでは、吊り杆１２を、吊り杆１２の長手方向に対して左右方向にアコーディオン状にジグザグに折曲しているが、これに限定されるものでなく、例えば、吊り杆１２の長手方向に対して左右方向にＳ字状にジグザグに屈曲するように構成してもよい。
【図面の簡単な説明】
【００４２】
【図１】本発明の第１の実施形態の陳列用吊下げ具の斜視図である。
【図２】図１の側面図である。
【図３】図１の平面図である。
【図４】取付部材の別の固定構造を示す図面である。
【図５】吊り杆の別の取付構造を示す図面である。
【図６】本発明の第２の実施形態の陳列用吊下げ具の斜視図である。
【図７】図６の側面図である。
【図８】図６の平面図である。
【符号の説明】
【００４３】
Ａ，Ｂ…陳列用吊下げ具、Ｃ…横バー部材、１，１１…取付部材、１ａ，１１ａ…上辺、１ｂ，１１ｂ…係止辺、２…支持杆、３，１２…吊り杆、１２ａ，１２ｂ…吊下部、４，１３…カードホルダー、４ａ，１３ａ…差込筒、５，１４…差込ピン、６…固定ボルト、７…ロックナット
【図１】
2006116074.tif 000003
【図２】
2006116074.tif 000004
【図３】
2006116074.tif 000005
【図４】
2006116074.tif 000006
【図５】
2006116074.tif 000007
【図６】
2006116074.tif 000008
【図７】
2006116074.tif 000009
【図８】
2006116074.tif 000010